(57)【要約】【課題】２つの電極板を有する電界通信装置とアンテナを有する非接触ＩＣカードリーダライタとを内蔵するカードホルダ型の電界通信携帯端末を製作するとき、ＩＣカードリーダライタのアンテナとしても代用でき、簡易な構造でコンパクトに構成でき、装置全体の形状も小型にできる電界通信用電極を提供する。【解決手段】電界通信用電極１０は、平行に配置された２つの電極板１３Ａ，１３Ｂからなる電極であり、当該電極要素をアンテナとして用いることによって構成される。この場合に切替スイッチ２５によって切り替えて電極またはループアンテナとして用いられる。ループアンテナとして用いられる電極板１３Ａは孔２１と切り込み２２が形成され、環状の形態に形成される。【選択図】図３
2013223222.tif 000002
【特許請求の範囲】
【請求項１】
平行に配置された２つの面状の電極要素からなる電極であり、前記電極要素をアンテナとして用いることを特徴とする電界通信用電極。
【請求項２】
前記２つの電極要素をアンテナとして用いることを特徴とする請求項１記載の電界通信用電極。
【請求項３】
前記アンテナとして用いる前記電極要素は所定面積の環状形状を有することを特徴とする請求項１または２記載の電界通信用電極。
【請求項４】
前記電極要素に切り込みを形成して前記環状形状を作ることを特徴とする請求項３記載の電界通信用電極。
【請求項５】
前記アンテナとして用いる前記電極要素は磁束強化補助ループ部を備えることを特徴とする請求項３または４記載の電界通信用電極。
【請求項６】
前記アンテナとして用いる前記電極要素は、孔部と、当該孔部につながる切り込み部を有し、前記孔部および前記切り込み部のスペースを利用して前記磁束強化補助ループ部を前記アンテナの内側に設けたことを特徴とする請求項５記載の電界通信用電極。
【請求項７】
前記アンテナとして用いる前記電極要素は、その外形輪郭部に沿って前記磁束強化補助ループ部を設けたことを特徴とする請求項５記載の電界通信用電極。
【請求項８】
前記アンテナとして用いる前記電極要素は、前記電極要素の任意の箇所にアンテナ部として機能する切欠き部が形成されることを特徴とする請求項１または２記載の電界通信用電極。
【請求項９】
前記電極要素を前記電極または前記アンテナとして用いるために切り替える切替スイッチを備えることを特徴とする請求項１〜８のいずれか１項に記載の電界通信用電極。
【請求項１０】
前記切替スイッチは、前記２つの電極要素のうちのいずれか一方を前記アンテナに切り替えるための第１の切替スイッチ、または前記２つの電極要素の両方を前記アンテナに切り替えるための第２の切替スイッチであることを特徴とする請求項９記載の電界通信用電極。
【請求項１１】
前記電極は人体を経由して通信を行う電界通信装置に用いられ、前記アンテナはＩＣカードリーダライタにおける通信に用いられることを特徴とする請求項１記載の電界通信用電極。
【発明の詳細な説明】
【技術分野】
【０００１】
本発明は電界通信用電極に関し、特に、電界通信装置とＩＣカードリーダライタが内蔵された小型の電界通信携帯端末等の電気機器で内蔵要素をコンパクトに組込みことが可能な電界通信用電極に関する。
【背景技術】
【０００２】
関連する従来技術として特許文献１〜４に開示される技術を挙げる。
特許文献１に記載された電界通信システムでは、ユーザの所持するカードの中に電界通信を行うカード通信部を有している。カードのカード通信部と電界通信を行う報知装置側にはアンテナが備えられている。
特許文献２に記載された通信システムでは、第２の通信方式において、第１の通信方式では電界通信用として用いられる電極を、アンテナとして機能させるという開示がある。しかしながら、アンテナとして用いられる電極はループアンテナではない。さらに、特に、第１の通信方式は低速通信（１０ＭＨｚ）であり、第２の通信方式は高速通信（２．４５ＧＨｚ）であるということに制約されている。
特許文献３に記載された通信装置では、電界通信（人体通信）の機器と他の通信手段の機器を搭載した構造において一部を共通化している。しかし、電界通信用の電極とアンテナを共通化して一体化するという構造は開示されていない。
特許文献４に記載された通信装置では、装置の小型の観点で、電界通信用電極をループアンテナの開口部に設けることで小型化を図っている。しかし、電界通信用電極それ自体の形状を変えてループアンテナを形成するようにはしていない。
【先行技術文献】
【特許文献】
【０００３】
【特許文献１】特開２０１１−９１７６７号公報
【特許文献２】特開２０１０−７４７９７号公報
【特許文献３】特開２０１０−２１９８４号公報
【特許文献４】特開２００９−８１７７１号公報
【発明の概要】
【発明が解決しようとする課題】
【０００４】
近年、電界通信（人体通信）を利用した電界通信装置と、ＩＣカードによる認証装置とを組み合わせることにより、セキュリティーをいっそう高めた電界通信携帯端末が技術的に望まれている。このような電界通信携帯端末では、カードホルダのごとき非常に小さなスペースを有するケース内に、少なくとも、２つの電極板を備える電界通信装置と、ループアンテナを備えるＩＣカードリーダライタのユニットと、ＩＣカード配置領域とをコンパクトに組み込むことが要求される。なお当該電界通信携帯端末は、ＩＣカードを挿入しセットして使用するものであるので、必然的にＩＣカードのカードホルダとしての外形形状を有する。
【０００５】
１つのカードホルダの中に、２つの電極板を有する電界通信装置と、ループアンテナを有する非接触ＩＣカードリーダライタとの両方を内蔵するように構成された電界通信携帯端末では、構成要素のレイアウトの観点で、次のような問題や課題が提起される。
【０００６】
電界通信装置とＩＣカードリーダライタとを別々に構成した場合には、構造上、各装置を別々の位置に配置するため、装置全体の厚さや面積、全体のサイズが大きくなる。
電界通信装置の電極板とＩＣカードリーダライタのループアンテナとを、図８に示すように、例えば上下に重ねて配置した場合には、導体である電極板がループアンテナに対して遮蔽板になってしまうため、２枚の電極板の間にＩＣカードを配置した場合にはループアンテナの読取り出力が低下するという問題が起きる。図８において、２つの平面体の電極板１０１Ａ，１０１Ｂが上下位置にて平行に配置され、それらの間には信号源１０２が接続されている。ループアンテナ１０３は、直線状の導体が矩形の形状に形成され、上側の電極板１０１Ａの上に配置されている。ループアンテナ１０３の開口の両端には信号源１０４が接続されている。図８に示した配置構造での上記の問題を解決するためには、磁性材料を用いて磁束をＩＣカードに通す通路を形成する必要がある。しかしながら、この解決策は、部品が増え製品のコストアップにつながる。
【０００７】
本発明の目的は、上記の課題に鑑み、２つの電極板を有する電界通信装置とアンテナを有する非接触ＩＣカードリーダライタとを内蔵するカードホルダ型の電界通信携帯端末を製作するとき、ＩＣカードリーダライタのアンテナとしても代用でき、これにより簡易な構造でコンパクトに構成することができ、装置全体の形状も小型にすることができる電界通信用電極を提供することにある。
【課題を解決するための手段】
【０００８】
本発明に係る電界通信用電極は、上記の目的を達成するため、次のように構成される。
【０００９】
第１の電界通信用電極（請求項１に対応）は、平行に配置された２つの面状の電極要素からなる電極であり、当該電極要素をアンテナとして用いることによって構成される。
【００１０】
上記の電界通信用電極では、カードホルダ型の電界通信携帯端末に、２つの電極要素（電極板等）を有する電界通信装置とアンテナを有するＩＣカードリーダライタとを組み込む場合において、導体で作られた電極要素を利用して上記のアンテナの機能を持たせた要素を実現し、当該電極要素をＩＣカードリーダライタのアンテナとして代用することにより、コンパクトかつ小型に構成し、さらに磁路を作る特別な磁性材を使うことなくもともとのアンテナの出力性能を損なわず実現できる。
【００１１】
第２の電界通信用電極（請求項２に対応）は、上記の構成において、好ましくは、２つの電極要素の両方をアンテナとして用いることを特徴とする。
【００１２】
第３の電界通信用電極（請求項３に対応）は、上記の構成において、好ましくは、アンテナとして用いる電極要素は所定面積の環状形状を有することを特徴とする。電極要素を環状すなわちループ状に形成することによりＩＣカードリーダライタのアンテナとして用いることができる。
【００１３】
第４の電界通信用電極（請求項４に対応）は、上記の構成において、好ましくは、電極要素に切り込みを形成して環状形状を作ることを特徴とする。
【００１４】
第５の電界通信用電極（請求項５に対応）は、上記の構成において、好ましくは、アンテナとして用いる電極要素は磁束強化補助ループ部を備えることを特徴とする。
【００１５】
第６の電界通信用電極（請求項６に対応）は、上記の構成において、好ましくは、アンテナとして用いる電極要素は、孔部と、当該孔部につながる切り込み部を有し、孔部および切り込み部のスペースを利用して磁束強化補助ループ部をアンテナの内側に設けたことを特徴とする。
【００１６】
第７の電界通信用電極（請求項７に対応）は、上記の構成において、好ましくは、アンテナとして用いる電極要素は、その外形輪郭部に沿って磁束強化補助ループ部を設けたことを特徴とする。
【００１７】
第８の電界通信用電極（請求項８に対応）は、上記の構成において、好ましくは、アンテナとして用いる電極要素は、電極要素の任意の箇所にアンテナ部として機能する切欠き部が形成されることを特徴とする。
【００１８】
第９の電界通信用電極（請求項９に対応）は、上記の構成において、好ましくは、電極要素を電極またはアンテナとして用いるために切り替える切替スイッチを備えることを特徴とする。
【００１９】
第１０の電界通信用電極（請求項１０に対応）は、上記の構成において、好ましくは、切替スイッチは、２つの電極要素のうちのいずれか一方をアンテナに切り替えるための第１の切替スイッチ、または２つの電極要素の両方をアンテナに切り替えるための第２の切替スイッチであることを特徴とする。
【００２０】
第１１の電界通信用電極（請求項１１に対応）は、上記の構成において、好ましくは、電極は人体を経由して通信を行う電界通信装置に用いられ、アンテナはＩＣカードリーダライタにおける通信に用いられることを特徴とする。
【発明の効果】
【００２１】
本発明に係る電界通信用電極は、電極板等の形状を環状に形成し、かつ切替スイッチで切り替えることにより、電界通信用の電極とＩＣカードリーダライタ用のループアンテナとして用いることができるようにしたため、２つの電極板等を有する電界通信装置とアンテナを有する非接触ＩＣカードリーダライタとを内蔵する小型の電界通信携帯端末を製作するとき、電界通信用の電極をＩＣカードリーダライタのループアンテナとしても代用することができ、さらに、簡易な構造でコンパクトに構成することができ、装置全体の形状も小型にすることができる。
【図面の簡単な説明】
【００２２】
【図１】本発明に係る電界通信用電極が適用される電界通信携帯端末の全体形状の一例を示す外観図である。
【図２】電界通信携帯端末の内蔵装置の要部構成をブロック図で概念的に示した縦断面図である。
【図３】本発明に係る電界通信用電極の第１の実施形態を示す図である。
【図４】本発明に係る電界通信用電極の第２の実施形態を示す図である。
【図５】本発明に係る電界通信用電極の第３の実施形態を示す図である。
【図６】本発明に係る電界通信用電極の第４の実施形態（２枚の電極板をアンテナとして用いる例）を示す図である。
【図７】本発明に係る電界通信用電極の第５の実施形態（切欠き部）を示す図である。
【図８】従来の電界通信携帯端末に一般的に適用される可能性のある電界通信用電極とループアンテナの構造を示す図である。
【発明を実施するための形態】
【００２３】
以下に、本発明の好適な実施形態（実施例）を添付図面に基づいて説明する。
【００２４】
図１を参照して本発明に係る電界通信用電極が適用される電界通信携帯端末の全体的な形状および構造について概説する。図１は電界通信携帯端末の特徴的形状を有する外観を示している。なお電界通信携帯端末１０の「電界通信」は、「人体通信」とも云われ、カードホルダ型の電界通信携帯端末１０を身につけた利用者の人体を媒介させ、静電界の作用を利用して外部の電界通信装置との間で情報の送受を行える通信機能である。
【００２５】
電界通信携帯端末１０の機器全体の形は、電界通信機能部（電界通信装置）を内蔵したカードホルダ型の形状を有している。電界通信携帯端末１０の外形は、厚みが薄く全体として扁平なカードホルダの形状をなしており、正面から見た長方形の形状における１つの短辺の部分に、ＩＣカード１１を出し入れ自在に挿入して内部に装着することのできるスリット口１０Ａを形成している。スリット口１０Ａの壁部の一部には凹所１０Ｂが形成されている。電界通信携帯端末１０の内部には、スリット口１０Ａから挿入されたＩＣカード１１を収容する収容部１２（ＩＣカード配置領域）が設けられている。カードホルダ型の電界通信携帯端末１０の正面形状はほぼ長方形である。
【００２６】
本実施形態に係る電界通信携帯端末１０は、上記の電界通信装置に加えて、ＩＣカードリーダライタ（ＲＦＩＤタグリーダライタ）およびアンテナを内蔵するように構成されており、さらに上記のようにＩＣカード１１の収容部１２が併せて設けられている。このＩＣカードリーダライタは電磁誘導方式（周波数帯域は１３．５６ＭＨｚ帯）であり、そのアンテナからは磁束が出力される。電界通信携帯端末１０に内蔵されるアンテナは例えばループ状のアンテナである。このアンテナは、電界通信携帯端末１０内に配置されたＩＣカード１１内のＲＦＩＤタグとの間でデータの送受を行うためのアンテナである。ただし本実施形態に係る電界通信携帯端末１０では、ＩＣカードリーダ・ライタのためのアンテナは、後述されるように、電界通信装置の電極板が代用される。
【００２７】
また電界通信携帯端末１０の内部にはバッテリが設けられる。さらに電界通信携帯端末１０の電界通信装置については、例えば、その正面部と背面部の両側部分等を利用して電界通信用の電極板が設けられている。２枚の電極板は、平面体の形状を有しており、好ましくはほぼ同じ大きさであり、平行な位置関係で対向するように配置されている。
【００２８】
図２を参照して、電界通信携帯端末１０内に設けた装置の基本的な構成を説明する。
【００２９】
１３Ａ，１３Ｂは、電界通信携帯端末１０内の電界通信装置に備えられた２枚の例えば矩形の電極板を示している。２枚の電極板１３Ａ，１３Ｂは対向するように平行に配置されている。電界通信装置１０の電極の構造では、２つの面状の電極要素が必須であるが、この実施形態では好ましくは２枚の電極板１３Ａ，１３Ｂが用いられている。２枚の電極板１３Ａ，１３Ｂの間のスペースには、電界通信装置の電界通信モジュール１４、ＩＣカード１１を配置するための収容部１２、収容部１２に配置されたＩＣカード１１、ＣＰＵ１５、ＩＣカードリーダライタ１６が設けられている。ＩＣカードリーダライタ１６のためのアンテナは、２枚の電極板１３Ａ，１３Ｂのいずれか一方または両方が代用される。
【００３０】
ＩＣカードリーダライタ１６は、後述するように切替スイッチ（図２中図示せず）によりアンテナとして機能するように設定された電極板１３Ａ，１３Ｂを経由して収容部１２に配置されたＩＣカード１１との間で磁束を介して情報の送受を行い、ＩＣカード１１のメモリに記録されたＩＤを読み取る。ＩＣカードリーダライタ１６は、ＩＣカード１１から読み取ったＩＤをＣＰＵ１５に送る。当該ＩＣカード１１のＩＤは、さらに電界通信モジュール１４を介して外部の装置に送信される。
【００３１】
電界通信モジュール１４は、ＣＰＵ１５からＩＣカード１１のＩＤを受け取ると、当該ＩＣカード１１のＩＤ情報を電界通信データに変換し、後述するように切替スイッチ（図２中図示せず）により電極として機能するように設定された２枚の電極板１３Ａ，１３Ｂに送る。当該電界通信データは、電極板１３Ａ，１３Ｂと例えば床電極等との間で、利用者の人体および電界を経由して送信される。
【００３２】
次に図３を参照して本発明に係る電界通信用電極の第１の実施形態を説明する。
【００３３】
図３は、平行に対向する２枚の電極板１３Ａ，１３Ｂのみを示している。２枚の電極板１３Ａ，１３Ｂは、そんぞれ、全体の大きさはほぼ同形であり、全体として十分な導体面積を有する平面状の矩形の形態を有する。２枚の電極板のうち一方の電極板１３Ａは、中央位置に例えば矩形（例えば正方形）の孔２１が形成され、かつ、当該孔２１が１つの辺をなす縁部とつながるように直線スリット状の切り込み２２が形成されている。電極板１３Ａは、予め矩形の金属板（導体板）を用意し、孔２１と切り込み２２を切り取ることで作製される。孔２１と切り込み２２の領域全体は、電極板１３Ａにおいて切欠き部として形成される。なお孔２１の形成位置は好ましくは中央位置であるが、これに限定されない。孔２１と切り込み２２を形成することにより、本来的に板状の電極板１３Ａは全体として環状（ループ状）の形態に形成される。これにより環状の電極板１３Ａは、基本的に電極板として作用すると共に、条件に応じ切り替えられてループアンテナとしての機能を有する。環状に形成された電極板１３Ａの両端部（スリット状切り込み２２の縁側の開口２２Ａの両側端部）には、ループアンテナとしての作用する場合における信号源２３が接続されている。他方の電極板１３Ｂは、この実施形態の場合には通常の矩形の電極板としてのみ作用するように作られている。平行に配置された２枚の電極板１３Ａ，１３Ｂの間には、電界通信装置の電極として作用する場合の信号源２４が、切替スイッチ２５を介して接続されている。切替スイッチ２５は半導体スイッチで構成され、制御信号に基づいて適宜にオン・オフされる。２枚の電極板１３Ａ，１３Ｂを電界通信装置の電極として使用する場合には切替スイッチ２５はオン状態に設定され、その他の場合には切替スイッチ２５はオフ状態に設定されている。
【００３４】
上記の構成によれば、本来的に電界通信装置用の部品として用意された電極を構成する２枚の電極板１３Ａ，１３Ｂの一方の電極板１３Ａを環状の形態に作り、切替スイッチ２５で切り替えることにより、ＩＣカードリーダライタ１６のループアンテナとしての機能を持たせることができる。従って、電極板１３Ａは、電極の一方の電極要素として用いられるし、ループアンテナとしても用いられる。このため、ＩＣカードリーダライタ１６の専用のループアンテナを電界通信携帯端末１０の内部に別途に設ける必要がないため、電界通信携帯端末１０の内部構造を簡素化でき、その製作コストを安価にすることができる。さらに電界通信携帯端末１０において、電界通信装置の電極の位置とＩＣカードリーダライタ１６の認証部のアンテナの位置とが同一の位置になるために、これを使用する利用者にも扱いやすいという利点を有する。
【００３５】
次に図４を参照して本発明に係る電界通信用電極の第２の実施形態を説明する。第２の実施形態に係る電界通信用電極において、２枚の電極板１３Ａ，１３Ｂの形状と配置関係、信号源２３，２４、切替スイッチ２５等は、前述した第１の実施形態の場合と実質的に同一であるため、同一要素には同一の符号を付し、その説明を省略する。相違する特徴的な構成は、ループアンテナとして機能する電極板１３Ａでループアンテナの整合をとるに当たっての集中定数によるＬ成分（インダクタンス成分）が小さくならないようにするため、孔２１および切り込み２２に基づく切欠き部の領域において、切り込み２２の端部の開口２２Ａの径（間隔）に影響を与えないように、細い導線を配線して内側ループ部分３１を追加している点である。この内側ループ部分３１は、図４において、環状の電極板１３Ａの右端部１３Ａ−１から導線を引出し、これを孔２１および切り込み２２を形成する輪郭部の縁に沿って交差することなく配線することにより形成される。内側ループ部分３１の外側の端部は、信号源２３に接続されている。こうして、内側ループ部分３１を追加して集中定数によるＬ成分を付加することにより、ループアンテナの整合をとるためのＬ成分を大きくすることができる。
【００３６】
次に図５を参照して本発明に係る電界通信用電極の第３の実施形態を説明する。第３の実施形態に係る電界通信用電極において、２枚の電極板１３Ａ，１３Ｂの形状と配置関係、信号源２３，２４、切替スイッチ２５等は、前述した第１の実施形態の場合と実質的に同一であるため、同一要素には同一の符号を付し、その説明を省略する。相違する特徴的な構成は、ループアンテナとして機能する電極板１３Ａでループアンテナの整合をとるに当たっての集中定数によるＬ成分（インダクタンス成分）が小さくならないようにするため、切り込み２２の開口２２Ａの径（間隔）に影響を与えないように、電極板１３Ａの周囲の領域を利用して、細い導線で外側ループ部分３２を追加している点である。この外側ループ部分３２は、図５において、環状の電極板１３Ａの右端部１３Ａ−１から導線を引出し、これを電極板１３Ａの外周を形成する輪郭部の縁に沿って配線することにより形成される。外側ループ部分３２の外側の端部は、信号源２３に接続されている。こうして、外側ループ部分３２を追加して集中定数によるＬ成分を付加することにより、ループアンテナの整合をとるためのＬ成分を大きくすることができる。
【００３７】
次に図６を参照して本発明に係る電界通信用電極の第４の実施形態を説明する。この実施形態では、第１の実施形態の構成を前提にして、電極板１３Ａに加えて、他方の電極板１３Ｂにも、電極板１３Ａで形成された同様な孔２１と切り込み２２を形成して電極板１３Ｂを環状の形状に形成している。これにより、２枚の電極板１３Ａ，１３Ｂの両方をアンテナとして代用することができるように構成される。図６では、説明の便宜上、実際には平行に対向して配置される２枚の電極板１３Ａ，１３Ｂを横に並べて示している。２枚の電極板１３Ａ，１３Ｂは同一または類似の形状に作られる。２枚の電極１３Ａ，１３Ｂの間には切替スイッチ２５を介して信号源２４が接続されている。さらに２枚の電極板１３Ａ，１３Ｂの各々の開口２２Ａの両端は２つの切替スイッチ４１，４２を介して接続されている。２つの切替スイッチ４１，４２は制御信号に基づいてオン・オフされる半導体スイッチである。切替スイッチ４１，４２は、電極として使用されるときオフ状態に設定され、アンテナとして使用されるときオン状態に設定される。この実施形態の場合にも、電界通信装置の２枚の電極板１３Ａ，１３Ｂの両方をＩＣカードリーダライタ１６のアンテナに代用することができ、内部構造を簡素化し、製作コストを低減できる。
【００３８】
次に図７を参照して本発明に係る電界通信用電極の第５の実施形態を説明する。図７では一方の電極板１３Ａのみを示している。この実施形態では、孔２１および切り込み２２の形成位置を変更している。第１の実施形態では孔２１の形成位置は電極板１３Ａの中央位置であったが、この孔２１の位置は電極板１３Ａにおいて任意の位置に形成することができる。孔２１の位置に応じて切り込み２２の位置および形状は変化する。また孔２１の形成位置を矩形の電極板１３Ａの辺近傍の縁部に形成すると、切り込み２２を省略することができる。図７に示した例は、孔を切欠き部５１と形成したものである。このように切欠き部５１を形成することにより、電極板１３Ａをほぼ環状の形態に形成することができ、ループアンテナとしての機能を実現することができる。
【００３９】
前述した第１〜第５の実施形態に係る各特徴的構成は、目的に応じて任意に組み合わせて構成することにより本発明に係る電界通信用電極を作ることができる。
【００４０】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００４１】
本発明に係る電界通信用電極は、電界通信装置とＩＣカードリーダライタとＩＣカード配置領域を内蔵するカードホルダ型の電界通信携帯端末において電極板とループアンテナとして切り替えて用いることが可能となり、電界通信携帯端末のコンパクト化および小型化に利用される。
【符号の説明】
【００４２】
１０            電界通信携帯端末
１０Ａ          スリット口
１０Ｂ          凹所
１１            ＩＣカード
１２            収容部
１３Ａ，１３Ｂ  電極板
１３Ａ−１      右端部
１４            電界通信モジュール
１５            ＣＰＵ
１６            ＩＣカードリーダライタ
２１            孔
２２            切り込み
２３            信号源
２４            信号源
２５            切替スイッチ
３１            内側ループ部分
３２            外側ループ部分
４１            切替スイッチ
４２            切替スイッチ
５１            切欠き部
１０１Ａ        電極板
１０１Ｂ        電極板
１０２          信号源
１０３          ループアンテナ
１０４          信号源
【図１】
2013223222.tif 000003
【図２】
2013223222.tif 000004
【図３】
2013223222.tif 000005
【図４】
2013223222.tif 000006
【図５】
2013223222.tif 000007
【図６】
2013223222.tif 000008
【図７】
2013223222.tif 000009
【図８】
2013223222.tif 000010